(57)【要約】    【課題】  開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る補強用力骨付ラス、開口部補強構造及び開口部補強工法の提供。    【解決手段】  構築物における開口部の周囲を構成する面がモルタルＲにより形成される場合に、互いに直交状をなす２辺Ｓからなる入隅状部Ｃを有し、平ラスＰの一方の面に配された３本の力骨Ｂ１乃至Ｂ３のうち力骨Ｂ１は、入隅状部Ｃの頂角部Ａの二等分線Ｘにほぼ沿い、他の２本の力骨Ｂ２・Ｂ３は、２辺Ｓに対し、４５度傾斜状をなすと共に端部Ｂａがそれぞれ臨む補強用力骨付ラスＭを、入隅状部Ｃが、窓部Ｗの周囲の直角状の隅部Ｎに沿うように、モルタルＲにより形成される面に対し平行状に埋設する。【選択図】      図１
2020063594.tif 000002
【特許請求の範囲】
【請求項１】
モルタル又はその他の湿式材料により形成された部分に埋設するための、互いに交差する複数本の力骨がラスに対し添設されてなる力骨付ラスであって、
互いに直交状をなす２辺からなる入隅状部を有し、
前記力骨のうち少なくとも１本は、前記２辺のうち一方に、前記入隅状部の頂角部の二等分線に対しほぼ平行状に４５度傾斜状をなすと共にその端部が臨み、前記力骨のうち他の少なくとも１本は、前記２辺のうち他方に、前記入隅状部の頂角部の二等分線に対しほぼ平行状に４５度傾斜状をなすと共にその端部が臨むことを特徴とする補強用力骨付ラス。
【請求項２】
記湿式材料により面が形成される場合に、その湿式材料により形成される面に対し平行状に埋設するためのものである請求項１記載の補強用力骨付ラス。
【請求項３】
上記入隅状部を一箇所に有する請求項１又は２記載の補強用力骨付ラス。
【請求項４】
上記互いに交差する複数本の力骨が互いに直交状に交差するものである請求項１乃至３の何れか１項に記載の補強用力骨付ラス。
【請求項５】
構築物における開口部の周囲がモルタル又はその他の湿式材料により形成される場合に、請求項１乃至４の何れか１項に記載の補強用力骨付ラスを、上記入隅状部が、前記開口部の周囲の直角状の隅部に沿うように前記湿式材料により形成された部分に埋設してなる開口部補強構造。
【請求項６】
上記湿式材料により面が形成される場合に、その湿式材料により形成される面に対し、上記補強用力骨付ラスが平行状に埋設された請求項５記載の開口部補強構造。
【請求項７】
構築物における開口部の周囲がモルタル又はその他の湿式材料により形成される場合に、請求項１乃至４の何れか１項に記載の補強用力骨付ラスを、上記入隅状部が、前記開口部の周囲の直角状の隅部に沿うように前記湿式材料により形成された部分に埋設する開口部補強工法。
【請求項８】
上記湿式材料により面が形成される場合に、その湿式材料により形成される面に対し、上記補強用力骨付ラスを平行状に埋設する請求項７記載の開口部補強工法。
【発明の詳細な説明】
【技術分野】
【０００１】
本発明は、モルタル又はその他の湿式材料に埋設して、その湿式材料により形成される部分を補強するための補強用力骨付ラス、開口部補強構造及び開口部補強工法に関する。
【背景技術】
【０００２】
特開平１１−２１０１０１号公報には、木造建築物や鉄骨造建築物等の建築に際し、外壁内の結露を防ぎ、断熱・気密性能を向上させる外通気を、モルタル塗りなどの湿式にて実施するものであって、建築物及びモルタル層の耐久性を向上させ、モルタル層のひび割れ、剥落を防止し、モルタルの保護性能の強化と化粧性の向上を同時に実現できる建築物の湿式外通気工法として、建築物の外壁に通気層を設け、外通気ができるように防水紙及び鉄網、或いは防水紙付き鉄網を取付け、軽量セメントモルタルを塗着し、壁面全体の表面又は内部、或いは壁面の一部の表面又は内面に、軽量セメントモルタル乾燥収縮を低減し、引張強さを補強し、ひび割れを防止する網材（繊維ネット）を押圧して埋設した後、仕上げ施工する建築物の湿式外通気工法が開示されている。
【０００３】
更に、同公報には、特にひび割れが発生しやすい窓枠等の開口部付近には、補強用の網材を斜めに張る等の処理を行うことによりひび割れの発生を防止することができる旨記載されている。
【０００４】
しかしながら、窓枠等の開口部付近については、更なる効果的な補強が望まれる。
【先行技術文献】
【特許文献】
【０００５】
【特許文献１】特開平１１−２１０１０１号公報
【発明の概要】
【発明が解決しようとする課題】
【０００６】
本発明は、開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る補強用力骨付ラス、開口部補強構造及び開口部補強工法を提供することを目的とする。
【課題を解決するための手段】
【０００７】
本発明の補強用力骨付ラス、開口部補強構造及び開口部補強工法は、次のように表すことができる。
【０００８】
(1) モルタル又はその他の湿式材料により形成された部分に埋設するための、互いに交差する複数本の力骨がラスに対し添設されてなる力骨付ラスであって、
互いに直交状をなす２辺からなる入隅状部を有し、
前記力骨のうち少なくとも１本は、前記２辺のうち一方に、前記入隅状部の頂角部の二等分線に対しほぼ平行状に４５度傾斜状をなすと共にその端部が臨み、前記力骨のうち他の少なくとも１本は、前記２辺のうち他方に、前記入隅状部の頂角部の二等分線に対しほぼ平行状に４５度傾斜状をなすと共にその端部が臨むことを特徴とする補強用力骨付ラス。
【０００９】
構築物における、外周側に直角状の隅部を有する開口部の周囲が湿式材料により形成される場合に、補強用力骨付ラスを、その互いに直交状をなす２辺からなる入隅状部が、前記開口部の周囲の直角状の隅部に沿うようにして、湿式材料により形成された部分に埋設することができる。
【００１０】
補強用力骨付ラスの力骨のうち少なくとも１本は、前記２辺のうち一方に、前記入隅状部の頂角部の二等分線に対し平行状に４５度傾斜状をなすと共にその端部が臨み、前記力骨のうち他の少なくとも１本は、前記２辺のうち他方に、前記入隅状部の頂角部の二等分線に対し平行状に４５度傾斜状をなすと共にその端部が臨むので、前記のように埋設された補強用力骨付ラスの力骨のうち少なくとも１本は、前記直角状の隅部を形成する２辺のうち一方に、前記直角状の隅部の二等分線に対しほぼ平行状に４５度傾斜状をなすと共にその端部が臨み、前記力骨のうち他の少なくとも１本は、前記直角状の隅部を形成する２辺のうち他方に、前記直角状の隅部の二等分線に対しほぼ平行状に４５度傾斜状をなすと共にその端部が臨む。
【００１１】
これにより、前記開口部の周囲の湿式材料により形成される部分の補強が効果的に行われ、その湿式材料により形成される部分の熱による膨張収縮や前記開口部周辺部分の変形等によるひび割れ等の発生が効果的に防止される。
【００１２】
(2) 上記湿式材料により面が形成される場合に、その湿式材料により形成される面に対し平行状に埋設するためのものである上記(1)記載の補強用力骨付ラス。
【００１３】
(3) 上記入隅状部を一箇所に有する上記(1)又は(2)記載の補強用力骨付ラス。
【００１４】
(4) 上記互いに交差する複数本の力骨が互いに直交状に交差するものである上記(1)乃至(3)の何れか１項に記載の補強用力骨付ラス。
【００１５】
(5) 構築物における開口部の周囲がモルタル又はその他の湿式材料により形成される場合に、上記(1)乃至(4)の何れか１項に記載の補強用力骨付ラスを、上記入隅状部が、前記開口部の周囲の直角状の隅部に沿うように前記湿式材料により形成された部分に埋設してなる開口部補強構造。
【００１６】
(6) 上記湿式材料により面が形成される場合に、その湿式材料により形成される面に対し、上記補強用力骨付ラスが平行状に埋設された上記(5)記載の開口部補強構造。
【００１７】
(7) 構築物における開口部の周囲がモルタル又はその他の湿式材料により形成される場合に、上記(1)乃至(4)の何れか１項に記載の補強用力骨付ラスを、上記入隅状部が、前記開口部の周囲の直角状の隅部に沿うように前記湿式材料により形成された部分に埋設する開口部補強工法。
【００１８】
(8) 上記湿式材料により面が形成される場合に、その湿式材料により形成される面に対し、上記補強用力骨付ラスを平行状に埋設する上記(7)記載の開口部補強工法。
【発明の効果】
【００１９】
本発明によれば、開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る。
【図面の簡単な説明】
【００２０】
【図１】窓部を有する壁の模式的な要部正面図である。
【図２】補強用力骨付ラスの模式的な正面図である。
【発明を実施するための形態】
【００２１】
[1] 本発明の実施の形態を、図面を参照しつつ説明する。
【００２２】
図面は何れも本発明の補強用力骨付ラス、開口部補強構造及び開口部補強工法についてのものである。
【００２３】
(1) この補強用力骨付ラスＭは、平ラスＰに力骨が添設されたものであり、全体として方形状（ほぼ正方形状）をなし、その方形の一辺の全長を底辺として頂角が直角状である直角二等辺三角形状に切り欠いた入隅状部Ｃを有するものである。
【００２４】
平ラスＰの一方の面に配された３本の力骨Ｂ１乃至Ｂ３は、方形状の全体形状のうち入隅状部Ｃを含まない相対する二辺に対し平行状に所定間隔おきに配され、そのうち中央に位置する１本の力骨Ｂ１は、入隅状部Ｃの頂角部Ａの二等分線Ｘにほぼ沿い、その力骨Ｂ１の端部Ｂａがその頂角部Ａに臨む。他の２本の力骨Ｂ２・Ｂ３は、前記方形状の全体形状の二辺のやや内側に位置し、入隅状部Ｃを構成する２辺Ｓに対し、４５度傾斜状をなすと共に各力骨Ｂ２・Ｂ３の端部Ｂａがそれぞれ２辺Ｓに臨む。
【００２５】
平ラスＰの他方の面には、前記３本の力骨Ｂ１乃至Ｂ３及び二等分線Ｘに直交するように前記所定間隔と同じ所定間隔おきに力骨Ｂ４乃至Ｂ６が配されている。そのうち入隅状部Ｃに交差する位置においては、入隅状部Ｃを挟む両側に分かれて短い力骨Ｂ６・Ｂ６が位置し、入隅状部Ｃを構成する２辺Ｓに対し、入隅状部Ｃの頂角部Ａの二等分線Ｘに対しほぼ直交状に４５度傾斜状をなすと共に各力骨Ｂ６・Ｂ６の端部Ｂｂ・Ｂｂがそれぞれ臨む。それらの力骨Ｂ４乃至Ｂ６は、前記３本の力骨Ｂ１乃至Ｂ３と力骨同士の交差位置において平ラスＰを挟んで溶接により接合されている。これにより、平ラスＰの両面に力骨が添設されている。
【００２６】
(2) この補強用力骨付ラスＭは、建築物の壁部Ｌにおける窓部Ｗ（開口部）の周囲を構成する面がモルタルＲ（湿式材料）により形成されている場合に、補強用力骨付ラスＭの入隅状部Ｃが、窓部Ｗの周囲の直角状の隅部Ｎに沿うようにして、モルタルＲにより形成される面に対し平行状に埋設して使用することができる。
【００２７】
埋設された補強用力骨付ラスＭの二等分線Ｘに平行な３本の力骨Ｂ１乃至Ｂ３のうち両側の一方に位置する力骨Ｂ２は、直角状の隅部Ｎを形成する２辺のうち一方に、前記直角状の隅部Ｎの二等分線に対しほぼ平行状に４５度傾斜状をなすと共にその端部Ｂａが臨み、前記両側の他方に位置する力骨Ｂ３は、前記直角状の隅部Ｎを形成する２辺のうち他方に、前記直角状の隅部Ｎの二等分線に対しほぼ平行状に４５度傾斜状をなすと共にその端部Ｂａが臨む。これにより、窓部Ｗの周囲のモルタルＲにより形成される部分の補強が効果的に行われ、ひび割れ等の発生が効果的に防止される。また前記３本の力骨Ｂ１乃至Ｂ３のうち中央の力骨Ｂ１は、前記直角状の隅部Ｎの二等分線にほぼ沿う。
【００２８】
[2] 本発明の実施の形態を、上記以外の形態を含めて更に説明する。
【００２９】
(1) 本発明の補強用力骨付ラスは、湿式材料により形成された部分に埋設するためのものである。
【００３０】
本発明の補強用力骨付ラスの埋設位置は、湿式材料により形成される部分の熱による膨張収縮や開口部周辺部分の変形等によるひび割れ等の発生の防止に効果的な位置とすることができる。
【００３１】
(1-1) 湿式材料としては、例えば、モルタル、プラスター類、しっくい、コンクリート等を挙げることができる。少なくともモルタル、プラスター類、しっくい等は、塗材ということもできる。
【００３２】
(1-2) 本発明の補強用力骨付ラスは、湿式材料により面が形成される場合、その面に対し平行状に埋設するためのものとすることができる。
【００３３】
本発明において、湿式材料により形成される面としては、一般的には壁面であるが、その他の自由面であってもよい。
【００３４】
湿式材料により形成される面に対し平行状に埋設する場合、その面から補強用力骨付ラスまでの湿式材料の厚さを、湿式材料により形成される部分の熱による膨張収縮や開口部周辺部分の変形等によるひび割れ等の発生の防止に効果的な程度とすることが望ましい。そのような厚さは、湿式材料の物性によるが、例えば２乃至３０ｍｍ、好ましくは５乃至２０ｍｍとすることができる。
【００３５】
(1-3) 本発明の補強用力骨付ラスは、互いに交差する複数本の力骨がラスに対し添設されてなる。
ラスとしては、平ラス以外に、例えば、メタルラス、ワイヤラス、エキスパンドメタル、溶接金網、ひし形金網、きっ甲金網等を用いることもできる。
【００３６】
メタルラス、ワイヤラス、エキスパンドメタル、溶接金網の網目は、例えば菱型状（例えば相対する２角が６０度の菱型状）とすることができるが、これに限るものではない。
【００３７】
力骨は、ラス（例えば一定の平面に沿ったラス）の例えば表裏両面に沿ってそれぞれ配され、表裏両面に沿った力骨同士がラスを挟んで接合されることにより（或いは例えば、ラスの両面又は片面に配された力骨がラスに接合されることにより）ラスに添設されたものとすることができる。
【００３８】
複数本の力骨同士は、互いに直交状に交差するものであることが好ましい。
【００３９】
(1-4) 本発明の補強用力骨付ラスは、例えば、方形、円形、その他の多角形又は閉曲線形から一部を切り欠いた、互いに直交状をなす２辺からなる入隅状部を、一箇所（又は複数箇所）に有するものとすることができる。
【００４０】
好ましい例としては、全体として方形状をなし、その方形の一辺の全長又はその一部を底辺とし、頂角が直角状である直角三角形状（好ましくは直角二等辺三角形状）に切り欠いた入隅状部を有するものである。
【００４１】
入隅状部の角部（頂角部）は、直角状をなすものの他、凹状に湾曲（例えば円弧状）したもの、面取形状をなすものなどとすることもできる。
【００４２】
本発明の補強用力骨付ラスは、前記入隅状部を一箇所に有するものとすることができるが、必ずしもこれに限るものではない。
【００４３】
(1-5) 本発明の補強用力骨付ラスは、構築物（建築物又はその他の構築物）における窓部、扉部、戸部、ドア部、通気又は換気用孔部等の開口部の周囲が前記湿式材料により形成される場合に、前記入隅状部が、開口部の周囲の直角状の隅部に沿うようにして、湿式材料により形成された部分に埋設することができる。その湿式材料により面が形成される場合、本発明の補強用力骨付ラスは、その面に対し平行状に埋設することができる。
【００４４】
補強用力骨付ラスの前記入隅状部が開口部の周囲の直角状の隅部に沿うというのは、例えば、前記入隅状部を構成する互いに直交状をなす２辺が、開口部の周囲の直角状の隅部を形成する直角状の２辺に一致することや、ほぼ平行状に近接することを言う。
【００４５】
(1-6) 前記力骨のうち少なくとも１本は、前記入隅状部を構成する前記２辺のうち一方に、前記入隅状部の頂角部の二等分線に対しほぼ平行状に４５度傾斜状をなすと共にその（力骨の）端部が（当該辺に）臨み、前記力骨のうち他の少なくとも１本は、前記入隅状部を構成する前記２辺のうち他方に、前記入隅状部の頂角部の二等分線に対しほぼ平行状に４５度傾斜状をなすと共にその（力骨の）端部が（当該辺に）臨む。
【００４６】
入隅状部の頂角部の二等分線に対しほぼ平行状にというのは、入隅状部を構成する前記２辺のうち一方に対し４５度傾斜状をなし得る二方向（互いに直交状をなす二方向）のうち、その二等分線に対し直交状をなす方向ではないことを意味する。尤も、前記二等分線に対し直交状をなす方向の力骨であって入隅状部を構成する前記２辺のうち一方又は他方に対し４５度傾斜状をなすと共にその力骨の端部がその辺に臨むものを含む補強用力骨付ラスを除外するものではない。
【００４７】
４５度傾斜状というのは、４５度傾斜の他、例えば、４０乃至５０度の角度で傾斜するものとすることができ、４１乃至４９度の角度ともすることができる。４２乃至４８度の角度が好ましいが、４３乃至４７度がより好ましく、４４乃至４６度の角度で傾斜するものが更に好ましい。
【００４８】
前記力骨のうち他の１本は、前記入隅状部の頂角部の二等分線にほぼ沿い、その（力骨の）端部がその頂角部に臨むものとすることもできる。
【００４９】
(2) 本発明の開口部補強構造は、構築物（建築物又はその他の構築物）における窓部、扉部、戸部、ドア部、通気又は換気用孔部等の開口部の周囲が上記湿式材料により形成される場合に、本発明の補強用力骨付ラスを、前記入隅状部が、前記開口部の周囲の直角状の隅部に沿うように前記湿式材料により形成された部分に埋設してなるものである。
【００５０】
この開口部補強構造は、前記湿式材料により面が形成される場合に、その湿式材料により形成される面に対し、前記補強用力骨付ラスが平行状に埋設されたものとすることができる。
【００５１】
(3) 本発明の開口部補強工法は、構築物（建築物又はその他の構築物）における窓部、扉部、戸部、ドア部、通気又は換気用孔部等の開口部の周囲が前記湿式材料により形成される場合に、本発明の補強用力骨付ラスを、前記入隅状部が、開口部の周囲の直角状の隅部に沿うように前記湿式材料により形成された部分に埋設するものである。
【００５２】
この開口部補強工法は、前記湿式材料により面が形成される場合に、その湿式材料により形成される面に対し、前記補強用力骨付ラスを平行状に埋設するものとすることができる。
【符号の説明】
【００５３】
Ａ      頂角部
Ｂ１    力骨
Ｂ２    力骨
Ｂ３    力骨
Ｂ４    力骨
Ｂ５    力骨
Ｂ６    力骨
Ｂａ    端部
Ｂｂ    端部
Ｃ      入隅状部
Ｌ      壁部
Ｍ      補強用力骨付ラス
Ｎ      隅部
Ｐ      平ラス
Ｒ      モルタル
Ｓ      辺
Ｗ      窓部
Ｘ      二等分線
【図１】
2020063594.tif 000003
【図２】
2020063594.tif 000004